(57)【要約】【課題】  壁際などに溜まった塵埃を効率良く吸引することができる床用吸込具を提供する。【解決手段】  吸込口６が下面から前面の少なくとも一部まで開口された吸込具本体ケース２と、吸込具本体ケース２内に回転自在に支持された回転ブラシ３と、吸込具本体ケース２の吸込口６の前側部分を閉塞するカバー５とを備え、カバー５は、吸込口６の前側部分を閉塞する下方回動位置と、吸込口６の前側部分を開放する上方回動位置との間を回動自在に形成され、カバー５の壁面などへの当接により下方回動位置から上方回動位置に回動させるよう構成すると共に、カバー５の上方回動位置への回動時、回転ブラシ３のブラシ体１２ａの回転軌跡が当接部材より前方側へ突出する構成とする。【選択図】        図１０
2008253853.tif 000002
【特許請求の範囲】
【請求項１】
吸込口が下面から前面の少なくとも一部まで開口された吸込具本体ケースと、該吸込具本体ケース内に回転自在に支持された回転ブラシと、前記吸込具本体ケースの吸込口の前側部分を閉塞するカバーとを備え、
前記カバーは、吸込口の前側部分を閉塞する下方回動位置と、吸込口の前側部分を開放する上方回動位置との間を回動自在に形成され、前記カバーの壁面などへの当接により下方回動位置から上方回動位置に回動させるよう構成すると共に、
前記カバーの上方回動位置への回動時、前記回転ブラシのブラシ体の回転軌跡が当接部材より前方側へ突出する構成としたことを特徴とする床用吸込具。
【請求項２】
前記カバーには、壁面などとの当接部分をカバーの長手方向にわたって形成し、該壁面との当接部分に柔らかくて滑りやすい当接部材を配設したことを特徴とする請求項１記載の床用吸込具。
【請求項３】
前記当接部材として、繊維質部材を備えたことを特徴とする請求項１記載の床用吸込具。
【請求項４】
前記当接部材として、起毛布を備えたことを特徴とする請求項１記載の床用吸込具。
【請求項５】
前記カバーを下方へ回動する方向へ付勢する付勢手段を備えたことを特徴とする請求項１記載の床用吸込具。
【請求項６】
前記カバーは、吸込具本体ケースの内側に収納される方向に回動する構成としたことを特徴とする請求項１記載の床用吸込具。
【発明の詳細な説明】
【技術分野】
【０００１】
本願発明は、電気掃除機の床用吸込具に係わり、特に壁際などに溜まった塵埃を効率良く吸い込むことができる床用吸込具に関するものである。
【背景技術】
【０００２】
一般的に用いられる電気掃除機の床用吸込具は、吸込具本体ケースの下面に吸込口が開口しているのみなので、壁際や家具の足元付近などのように立ち上がった障害物のある場所の掃除が難しかった。
【０００３】
そこで、壁際などの掃除が可能な吸込具として、吸込具を壁などに押し当てると、当該吸込具の前面下部に設けられたフラップ部やシール部が上方へ移動したり後方へ回動することにより、壁際の塵埃を吸引することができる構造を備えた吸込具が従来より提案されている（例えば、特許文献１、特許文献２参照）。
【０００４】
また、回転ブラシの回転軸と直交する方向の断面形状が回転ブラシのブラシ毛先端の回転軌跡の径よりも大きな径を有する円弧形状を成し吸込口の前面部を開閉する回動板を回転ブラシの回転軸と同軸的な回動軸を中心として吸込口本体に回動自在に支持するようにして、手動操作によって吸込口の前面部を開閉するようにしたものもある（例えば、特許文献３参照）。
【特許文献１】特開平８−３１７８８６号公報
【特許文献２】特開平８−２０６０４３号公報
【特許文献３】実開平３−９４９号公報
【発明の開示】
【発明が解決しようとする課題】
【０００５】
しかしながら、上記特許文献１や特許文献２に開示されたもののように、吸込具の前面下部を開けて吸引を行っても、吸込具の前壁と吸込口との水平距離が近接するわけではないため、壁際の塵埃に対して充分な清掃能力を得ることができなかった。
【０００６】
また、上記特許文献３に開示されたものは、手動操作によるものであるので、決して使い勝手が良いものではない。
【０００７】
これらに対して、本願出願人が特願２００１−２８９４０３号において提案したものは、吸込口が吸込具本体ケースの下面から前面の少なくとも一部まで開口され、吸込具本体ケースの前壁を構成するカバーが当該吸込具本体ケースに上下方向に回動自在に取り付けられ、前記カバーが、下方回動位置で吸込口の前側部分を閉塞し、かつ壁面などに当接して回動する上方回動位置で吸込口の前側部分を開放するように構成されている。
【０００８】
ところが、前記カバーは合成樹脂などで形成されていて、壁面や家具などに当たると擦るように滑りながら上方に回動するようになっているので、回動する際にカバーが壁面や家具などに傷を付ける虞がある。これを防ぐため、例えばカバーの表面にゴムなどの柔軟な部材を使用した場合、壁面などとの摩擦抵抗によって回動性が悪くなる虞がある。
【０００９】
そこで、本願発明はこのような課題を解決するためになされたものであり、壁際などに溜まった塵埃を効率良く吸引することができると共に、壁面や家具などの傷付きを防止し、かつスムーズに回動可能とした床用吸込具を提供することを目的とするものである。
【課題を解決するための手段】
【００１０】
上記の目的を達成するために、吸込口が下面から前面の少なくとも一部まで開口された吸込具本体ケースと、該吸込具本体ケース内に回転自在に支持された回転ブラシと、前記吸込具本体ケースの吸込口の前側部分を閉塞するカバーとを備え、前記カバーは、吸込口の前側部分を閉塞する下方回動位置と、吸込口の前側部分を開放する上方回動位置との間を回動自在に形成され、前記カバーの壁面などへの当接により下方回動位置から上方回動位置に回動させるよう構成すると共に、前記カバーの上方回動位置への回動時、前記回転ブラシのブラシ体の回転軌跡が当接部材より前方側へ突出する構成としたことを特徴とする。
【００１１】
前記カバーには、壁面などとの当接部分をカバーの長手方向にわたって形成し、該壁面との当接部分に柔らかくて滑りやすい当接部材を配設することが好ましい。
【００１２】
前記当接部材として、繊維質部材を備えることが好ましい。
【００１３】
前記当接部材として、起毛布を備えることが好ましい。
【００１４】
前記カバーを下方へ回動する方向へ付勢する付勢手段を備えることが好ましい。
【００１５】
前記カバーは、吸込具本体ケースの内側に収納される方向に回動する構成とすることが好ましい。
【発明の効果】
【００１６】
本発明の請求項１の構成によれば、壁際などに溜まった塵埃を効率よく除去することができる等の効果を奏する。
【００１７】
本発明の請求項２の構成によれば、壁面や家具などの傷付きを防止でき、且つスムーズに回動可能となる。また、吸込具前面側が障害物に当たった場合のショックを吸収するバンパーの役割も果たす。
【００１８】
当接部材として、繊維質部材、より具体的には起毛布を備えたことにより、壁面に当接した状態で横方向に掃除する場合の左右方向への動きもスムーズになる。
【００１９】
カバーを下方へ回動する方向へ付勢する付勢手段を備えることにより、カバーの回動軸に多少の塵埃を付着しても確実に吸込口の前側部分を閉じることができる。
【００２０】
カバーは、吸込具本体ケースの内側に収納される方向に回動する構成とすることにより、外側に回動する場合に比べて吸込具の高さを低くでき、ベッドの下等の高さの低いところを掃除する場合でも、カバーが障害物に当たって開かないといった不具合も生ぜず、また外力に対しても強い構造となる。
【発明を実施するための最良の形態】
【００２１】
以下、本願発明の実施形態を図面を参照して詳細に説明する。
【００２２】
図１〜図１０は、本願発明による床用吸込具の一実施形態の構成及び作用を示す図である。
【００２３】
図１〜図１０に示される床用吸込具１は、上ケース２ａと下ケース２ｂから成って下面から前面にかけて広範囲に開口された吸込口６が形成された横長の吸込具本体ケース２と、吸込具本体ケース２内の長手方向両端に軸受部を介して回転自在に支持された回転ブラシ３と、吸込具本体ケース２の後面側に上記吸込口６と連通すると共に上下左右に回動自在に取り付けられたベンド４と、吸込具本体ケース２の前壁を構成すると共に吸込口６の前側部分６ｂを開閉するカバー５とから構成されており、ベンド４が図示しない延長管やホースを介して掃除機本体に接続されるようになっている。
【００２４】
上記カバー５は、図４等に示すように、断面形状が略くの字状を成し、その上部側が円弧状に形成されており、略くの字状の前側突出部に両端が軸受部７ａによって回動自在に支持されたローラ７が取り付けられている。軸受部７ａの外側は、前方に向かって傾斜しており、掃除の際、軸受部７ａの外側が障害物に当接しても、床用吸込具１を円滑に動かせるようになっている。
【００２５】
上記ローラ７は、図５に示すように、回動軸７ｂを有する芯体７ｃの外周面が、柔らかくて滑りやすい当接部材として、繊維質部材である起毛布７ｄによって覆われて形成されている。
【００２６】
このように構成されたカバー５の両端側には、図６，図７に示すようにアーム部８が一体形成されており、この両側のアーム部８が吸込具本体ケース２の両端内側に設けられた回動軸９に上下方向に回動自在に支持されている。この回動軸９とローラ７との位置関係は、図８に示すようにカバー５の最前部にあるローラ７が壁面Ｗなどに押し当てられたときにローラ７が図８の矢印で示す反時計廻りに回転しながらカバー５が上方に回動するように、ローラ７がカバー５の回動中心である回動軸９よりも上に位置するように設定されている。
【００２７】
また、ローラ７が壁面Ｗなどに当接してカバー５が上方に回動するとき、吸込具本体ケース２における上ケース２ａの内側に収納される方向に回動するように構成されている。
【００２８】
また、上記カバー５の回動軸９には、カバー５を下方へ回動する方向へ付勢する付勢手段として捻りバネ９ａが装着されている。
【００２９】
さらに、回転ブラシ３には、その芯体１０の外周の長手方向に４本の溝１１が９０゜間隔で螺旋状に形成されており、これらの溝１１にそれぞれ一対のブラシ体１２ａとゴムブレード１２ｂが交互に装着されている。上記ブラシ体１２ａはゴムブレード１２ｂより長めに形成されており、このブラシ体１２ａ先端の回転軌跡が図９に示すカバー５の開放時にはローラ７よりも突出するように、回転ブラシ３とカバー５の位置関係が設定されている。
【００３０】
また、図示はしないが、上記回転ブラシ３は、吸込具本体ケース２に内蔵された電動モータの駆動力が伝動ベルトなどを介して伝達されることにより回転駆動されるように構成されている。
【００３１】
なお、本実施形態では、上記カバー５に設けられたローラ７が吸込具本体ケース２の前側のバンパーとしても機能するので、本来のバンパーとしては吸込具本体ケース２の両側のサイドバンパー１４のみが設けられている。また、吸込口６の下側部分６ａの後側には、吸込口６の長手方向に沿ってフロアブラシ１５が設けられている。
【００３２】
以上のように構成された本実施形態の床用吸込具１は、通常の床面（フローリング床や畳や絨毯等）の掃除の場合には、図４に示すように、カバー５が回動軸９に設けられた捻りバネ９ａの付勢力により下方回動位置に降りているので、吸込口６の前側部分６ｂはカバー５により閉じられ、吸込口６の下側部分６ａだけが開口している。従って、風量の損失が生じないので、吸込口６の下側部分６ａでは所望の風量が得られ、かつ回転ブラシ３の掻き取り効果も加わるので、床面の掃除を効率良く行うことができる。
【００３３】
一方、図８に示すように、壁際を掃除する場合には、壁面Ｗに吸込具１を押し当てる。それにより、まず、カバー５に取り付けられたローラ７が壁面Ｗに当接して矢印で示すように回転しながらカバー５が上方に持ち上げられ、回動軸９を支点として吸込具本体ケース２における上ケース２ａの内側に収納される方向に回動し、図９に示すように吸込口６の前側部分６ｂが開放される。
【００３４】
この図９の状態では、吸込口６を壁際に非常に近接させることができ、壁際の塵埃に対して充分な清掃能力を得ることができる。しかも、吸込口６の下側部分６ａ及び前側部分６ｂの両方から壁際の塵埃を吸い込むことができ、さらに回転ブラシ３が壁面Ｗに近接、もしくは当接して壁際の塵埃を掻き取るので、壁際の塵埃を効率よく吸引することができる。
【００３５】
そして、本実施形態では、カバー５自体ではなく外周面が起毛布７ｄで覆われたローラ７が壁面Ｗに当接するので、壁面Ｗや家具などの傷付きを確実に防止でき、かつ極めてスムーズにカバー５を回動させることができる。また、起毛布７ｄなので、ローラ７が壁面Ｗに当接した状態で横方向に掃除する場合の左右の動きもスムーズになる。
【００３６】
また、このローラ７は吸込具本体ケース２の前面側の先端部分に設けてあるため、前面側が障害物に当たった場合のショック吸収というバンパーの役割も果たしている。
【００３７】
さらに、上記カバー５は吸込具本体ケース２の内側に収納される方向に回動するので、外側に回動する場合に比べて、吸込具１の高さを低くでき、ベッドの下等の高さの低いところを掃除する場合でも、カバー５が障害物に当たって開かないといった不具合も生ぜず、また外力に対しても強い構造となる。
【００３８】
また、カバー５が開放した状態でのローラ７と回転ブラシ３のブラシ体１２ａやゴムブレード１２ｂとの前後位置関係は、図１０に示すように、ローラ７が壁面Ｗに当たった状態でブラシ体１２ａの先端の回転軌跡がローラ７よりも突出して、壁面Ｗに接触するようになっており、壁面Ｗや壁際の塵埃をより効果的に除去できる。なお、ゴムブレード１２ｂは壁面に当たると異音を発生するため、上記の状態でも壁面Ｗに接触しない位置関係になっている。
【００３９】
上述した壁際の掃除を終了して通常の床面の掃除に戻るときには、吸込具１を壁面Ｗから離すだけで、カバー５は捻りバネ９ａの付勢力で下方に回動して吸込口６の前側部分６ｂを閉じるので、再び、通常の床面の掃除を行うことができる。
【００４０】
上記カバー５は、自重だけでも下方に回動して吸込口６の前側部分６ｂを閉じることができるが、本実施形態のように、カバー５を下方へ回動させる捻りバネ９ａなどの付勢手段を設ければ、カバー５の回動軸９に多少の塵埃が付着しても確実に前側部分６ｂを閉じることができる。
【００４１】
なお、上記実施形態では、カバー５の長手方向にわたって一本のローラ７を備えたものについて示したが、本願発明はこれに限らず、例えば、図１１に示すようにカバー５の長手方向両側に短いローラ７１，７２を一本ずつ備えるようにしてもよい。
【００４２】
また、上記実施形態では、回転ブラシ３を電動モータで回転駆動するもの（パワーブラシ）に本願発明を適用した場合について示したが、本願発明はこれに限らず、タービンブラシや回転ブラシ３のゴムブレード１２ｂ等に吸込風を直接受けて回転するようなものにも適用可能である。この場合、例えば、図１２，図１３に示すように、カバー５の下部の両側や中央部に切欠５ａを設けて、ここから図１３に矢印で示すように吸い込まれる吸込風をゴムブレード１２ｂ等で受けることにより、回転ブラシ３を回転駆動することができる。なお、壁際でローラ７が壁面に当接してカバー５が開放された状態においても、ローラ７の外周面は起毛布７ｄで構成されていて通風可能であると共に、両側からの吸込風の風路も確保できるので、回転ブラシ３を回転駆動することはできるが、前記図１１に示したように、カバー５の両側にローラ７１，７２を設けるようにすれば、それらの間から吸込風を充分に取り込むことができるので、回転ブラシ３の回転力をより増すことができる。
【００４３】
また、上記実施形態では、カバー５にローラ７を設けた場合について示したが、本願発明はこれに限らず、例えば、図１４，図１５に示すように形成されたカバー５における壁面Ｗとの当接部分を前記実施形態と同様な起毛布７ｄで覆うようにしてもよい。
【００４４】
また、上記実施形態では、カバー５が壁面Ｗなどに当接して回動するとき吸込具本体ケース２の内側に収納される方向に回動する構成としたが、本願発明はこれに限らず、図１６，図１７に示すように、吸込具本体ケース２における上ケース２ａの外側に回動するものでも、カバー５における壁面Ｗとの当接部分を前記実施形態と同様な起毛布７ｄで覆うようにすれば、本願発明の所期の目的は達成できる。
【図面の簡単な説明】
【００４５】
【図１】本願発明の一実施形態に係る床用吸込具の上面図。
【図２】同じく、正面図。
【図３】同じく、側面図。
【図４】同じく、中央部の縦断面図。
【図５】上記実施形態で用いられるローラ単体の縦断面斜視図。
【図６】上ケースを取り外して見た要部上面図。
【図７】同じく、要部側断面図。
【図８】カバーが開く途中を示す要部縦断面図。
【図９】同じく、カバーが開いた状態を示す縦断面図。
【図１０】同じく、カバーが開いた状態の作用を示す要部縦断面図。
【図１１】本願発明の他の実施形態に係る床用吸込具の上面図。
【図１２】本願発明の更に他の実施形態に係る床用吸込具の正面図。
【図１３】同じく、中央部の縦断面図。
【図１４】本願発明の更に他の実施形態に係る床用吸込具の中央部の縦断面図。
【図１５】同じく、カバーが開いた状態を示す縦断面図。
【図１６】本願発明の更に他の実施形態に係る床用吸込具の中央部の縦断面図。
【図１７】同じく、カバーが開いた状態を示す縦断面図。
【符号の説明】
【００４６】
１  床用吸込具
２  吸込具本体ケース
３  回転ブラシ
５  カバー
６  吸込口
６ａ  吸込口の下側部分
６ｂ  吸込口の前側部分
７  ローラ
７ｄ  起毛布
９  回動軸
９ａ  捻りバネ
１２ａ  ブラシ体
１２ｂ  ゴムブレード
【図１】
2008253853.tif 000003
【図２】
2008253853.tif 000004
【図３】
2008253853.tif 000005
【図４】
2008253853.tif 000006
【図５】
2008253853.tif 000007
【図６】
2008253853.tif 000008
【図７】
2008253853.tif 000009
【図８】
2008253853.tif 000010
【図９】
2008253853.tif 000011
【図１０】
2008253853.tif 000012
【図１１】
2008253853.tif 000013
【図１２】
2008253853.tif 000014
【図１３】
2008253853.tif 000015
【図１４】
2008253853.tif 000016
【図１５】
2008253853.tif 000017
【図１６】
2008253853.tif 000018
【図１７】
2008253853.tif 000019